(57)【特許請求の範囲】
【請求項１】
鉄骨の軸組構成材の内、柱に鋼管と梁材や桁材に型鋼を用い、上記柱を下階の柱と上階の柱に梁材の部分で上下に分断した別部材とし、梁材の上下に下階の柱と上階の柱をボルトで結合し、上記梁材の柱を結合した部分の側面に補強部材を施し、この補強部材で梁材に梁材や桁材を結合できるようにした鉄骨軸組構造において、
前記下階の柱の上端部と上階の柱の下端部のそれぞれの内部に、ボルトをねじ込む孔を有するプレートをその一部が柱の端部から突出するように嵌め込んで溶接し、前記梁材の下部フランジの下面に下階の柱のプレートを、また、梁材の上部フランジの上面に上階の柱のプレートを重ね、この梁材の下部フランジと上部フランジに設けたボルト孔から各プレートのボルトをねじ込む孔にねじ込んだボルトで梁材に対して下階の柱と上階の柱を個々に結合し、前記ボルトのプレートに対するねじ込み部分を梁材側から柱の内部に納めたことを特徴とする鉄骨軸組構造。
【発明の詳細な説明】
【０００１】
【発明の属する技術分野】
この発明は、柱の位置を自由に選ぶことにより、開口部の設計が自由にでき、しかも、軸組構成材の運搬、建て方、加工が容易となる、鉄骨を用いた建物の軸組構造に関する。
【０００２】
【従来の技術】
鉄骨を用いた二階建て以上の建物の軸組構造物は、基礎上の複数箇所に柱を立設すると共に、柱間に梁材を架け渡し、必要に応じて基礎と梁材間や上下梁材間に間柱を立て、梁材間に桁材を架け渡し、必要な枠状部分の対角位置間を筋交いで結合すると共に、最上部に屋根組を設けて構築される。
【０００３】
上記柱は基礎上から屋根組に至るまでの必要な長さの連続したものとなり、梁材は受け金具を介してボルトでの締結や溶接によって柱に固定され、他の軸組構成材の結合も同様の締結構造が採用されている。
【０００４】
【発明が解決しようとする課題】
ところで、従来の軸組構造物の柱は、基礎上から屋根組に至るまでの必要な長さの連続したものであるため、長尺物となって運搬や建て方及び加工等が不便となり、しかも、柱が基礎上から屋根組に至るまで連続しているため、建物の開口部の配置が柱によって制約を受けることになり、開口部の配置の自由度がないという問題がある。
【０００５】
そこで、この発明の課題は、各階における柱の配置を自由に設定することができ、開口部の設計が自由に行えると共に、軸組構成材の運搬や建て方及び加工等が容易となる鉄骨軸組構造を提供することにある。
【０００６】
【課題を解決するための手段】
上記のような課題を解決するため、請求項１の発明は、鉄骨の軸組構成材の内、柱に鋼管と梁材や桁材に型鋼を用い、上記柱を下階の柱と上階の柱に梁材の部分で上下に分断した別部材とし、梁材の上下に下階の柱と上階の柱をボルトで結合し、上記梁材の柱を結合した部分の側面に補強部材を施し、この補強部材で梁材に梁材や桁材を結合できるようにした鉄骨軸組構造において、前記下階の柱の上端部と上階の柱の下端部のそれぞれの内部に、ボルトをねじ込む孔を有するプレートをその一部が柱の端部から突出するように嵌め込んで溶接し、前記梁材の下部フランジの下面に下階の柱のプレートを、また、梁材の上部フランジの上面に上階の柱のプレートを重ね、この梁材の下部フランジと上部フランジに設けたボルト孔から各プレートのボルトをねじ込む孔にねじ込んだボルトで梁材に対して下階の柱と上階の柱を個々に結合し、前記ボルトのプレートに対するねじ込み部分を梁材側から柱の内部に納めた構成を採用したものである。
【０００７】
【発明の実施の形態】
以下、この発明の実施の形態を図示例と共に説明する。
【０００８】
図示の軸組構造物は、鉄骨を用いた四階建ての家屋を例示し、主要な軸組構成材としては、基礎１上に配置して一階の床となる土台梁２、梁材３、桁材４、柱５、間柱６、筋かい材７、根太８等であり、上記土台梁２、梁材３、桁材４はＨ型鋼材を用い、また柱５は角形の鋼管を用いると共に、間柱６、筋かい材７、根太８等は角形の鋼管や必要に応じて木製角材を使用する。
【０００９】
上記した軸組構成材において、土台梁２と梁材３及び桁材４は、建物の平面において幅や奥行きの寸法に対応する長さの一本物からなる連続した通し梁とし、柱５は各階毎の長さを有し、下階の柱５と上階の柱５に梁材３や桁材４を挟んで上下に分断されて各階毎に独立した別部材になっている。
【００１０】
上記土台梁２は、基礎１上に枠状となるよう配置され、基礎１に埋設したアンカーボルトでの締結によって該基礎１上に固定され、この土台梁２上の必要な箇所に鋼管を用いた１階用の柱５を立設し、１階用の柱５の上に梁材３を水平に載置して枠状の配置に固定し、該梁材３上に２階用の柱５を立設してその上端に梁材３を水平に載置固定し、これを上方に必要階だけ繰り返し、最上階の梁材３上に屋根組９を設けることにより軸組構造物が構築される。
【００１１】
上記、土台梁２内には大引き等が設けられ、その上に根太８が所定の間隔で配置されると共に、各階の梁材３内には桁材４が所定の間隔で架け渡され、桁材４間に根太８が平行して配置され、筋かい材７を設けると共に、壁面においては、土台梁２と梁材３間や上下の梁材３間に間柱６や筋かい材７を配置する。
【００１２】
なお、軸組構造物は、図示のような四階建ての一般的な家屋に限るものではなく、二階以上となる各種用途の建物の構築に採用でき、梁材３は長尺の連続ものであるので、梁材３で直接ベランダ等の跳ね出し部分１０を形成でき、跳ね出し部分１０を柱で支持する必要がないという利点がある。
【００１３】
図２乃至図４は上記梁材３と柱５の固定構造を示し、柱５の端部に厚みのあるプレート１１を一部が突出するよう嵌め込んで溶接で固定し、このプレート１１の四箇所にボルト挿通孔１２を設け、柱５内に位置するプレート１１の下面で各挿通孔１２の部分にナット１３が溶接固定されている。
【００１４】
梁材３の柱５を結合せんとする部分には、梁材３に加わる荷重から梁材３を保護するため、両側の位置に補強部材１４が固定されている。この補強部材１４は、梁材３のリブ３ａの外面から上下のフランジ３ｂに丁度外接する略コ字状の当板１５と、この当板１５の内側に固定したリブ板１６とで形成されている。
【００１５】
両側の補強部材１４は当板１５と梁材３のリブ３ａを複数のボルト１７とナットで締結することにより、梁材３に対して固定され、梁材３のフランジ３ｂと当板１５の該フランジ３ｂに重なる部分とに、上記プレート１１の各挿通孔１２に一致する配置でボルト孔１８が設けられ、梁材３のフランジ３ｂ外面に柱５のプレート１１を重ね、各ボルト孔１８から挿通孔１２に挿入したボルト１９をナット１３にねじ込むことにより、梁材３と柱５を締結するようになっている。なお、プレート１１の挿通孔１２をねじ孔とし、ボルト１９を直接ねじ込めるようにすれば、ナット１３の溶接は省略することができると共に、この結合構造は、柱５と桁材４の結合、間柱６の梁材３や桁材４に対する結合に採用することができる。
【００１６】
上記補強部材１４において、一方または両方の補強部材１４のリブ板１６に接続板２０を一体に突設し、桁材４のリブ部端部をこの接続板２０に重ね、この重なり部分を複数のボルト２１とナットで締結することにより、梁材３に対して桁材４を直角の配置で固定することができるようになっている。
【００１７】
なお、梁材３や桁材４には、リブ部３ａとフランジ部３ｂの長さ方向に所定の間隔で、予めボルト孔１８を設けておき、柱５の立設位置をこのボルト孔１８の間隔で任意に選択できるようにしておくと便利である。
【００１８】
図２に示すように、柱５間に配置する筋かい材７の固定は、筋かい７の端部を傾斜状にカットし、該筋かい材７の端部を溶接により柱５に固定する。
【００１９】
この発明の鉄骨軸組構造は、上記のような構成であり、基礎上に土台梁２を設置し、この土台梁２の必要な位置に柱５を起立固定し、この柱５上に２階用の梁材３を載せ、柱５の上端と梁材３を結合し、これを必要階数だけ上方に繰り返し、最上階の梁材３上に屋根組９を設けると共に、壁面の必要な位置に間柱６と筋かい材７を配置し、床面には大引きや根太８等を配置することにより軸組構造物を構築し、軸組構造物に内外装を施して建物を完成する。
【００２０】
上記軸組構造物の構築時において、各柱５は各階毎に分断されているので、柱５の立設位置を任意に選択でき、建物の開口部である出入口や窓の設定場所を自由に設計することができ、開口部位置の設定の自由度が大幅に向上する。
【００２１】
また、各軸組構成材において、柱５を各階ごとに分断して独立させ、梁材３を挟んで上階と下階の柱を結合するようにすれば、結合部分の強度を維持しながら、柱５の短尺化が可能となり、軸組構成材の運搬や建て方及び加工等が容易となり、しかも、ベランダ等の跳ね出し部分１０を柱で支持する必要がない。
【００２２】
【発明の効果】
以上のように、この発明によると、鉄骨の軸組構成材の内、柱を下階の柱と上階の柱に梁材の部分で上下に分断した別部材とし、この下階の柱と上階の柱を梁材に対して上下に個々に結合することにより鉄骨軸組を組み立てるようにしたので、各柱は各階毎に分断されているので、柱の立設位置を任意に選択でき、建物の開口部である出入口や窓の設定場所を自由に設計することができ、かつ、柱の短尺化が可能になり、軸組構成材の運搬や建て方及び加工等が容易となり、しかも、梁材で直接ベランダ等の跳ね出し部分を形成でき、跳ね出し部分を柱で支持する必要がなくなる。
【００２３】
また、梁材と柱をボルトで結合すると共に、梁材の柱結合部分に補強部材を設けたので、上下の柱間に梁材が介在していても、梁材の強度を十分に確保することができる。
【図面の簡単な説明】
【図１】（Ａ）はこの発明の構築方法で構築した鉄骨軸組の一例を示す正面図、（Ｂ）は同横段平面図
【図２】同上における梁材と柱及び桁材の結合部分を示す斜視図
【図３】同上における梁材と柱及び桁材の結合部分を示す縦断正面図
【図４】同上の縦断側面図
【符号の説明】
１  基礎
２  土台梁
３  梁材
４  桁材
５  柱
６  間柱
７  筋かい材
８  根太材
９  屋根組
１０  跳ね出し部分
１４  補強部材
【図１】
0003764020.tif 000002
【図２】
0003764020.tif 000003
【図３】
0003764020.tif 000004
【図４】
0003764020.tif 000005